(57)【特許請求の範囲】
【請求項１】
上面に鍵盤が配置された楽器本体と、
一端が回転軸により前記楽器本体の蓋支持部に回動可能に支持された蓋体と、該蓋体の内面に取り付けられた操作パネルとを含み、前記回転軸から見て演奏者から遠い後方側であって、前記鍵盤を開放し前記蓋支持部により保持される開放位置と、前記回転軸から見て演奏者に近い前方側であって、前記鍵盤を覆う覆い位置との間で回動可能な鍵盤蓋と、
前記操作パネルから導出され前記楽器本体内の制御部に延びた配線ケーブルと、
回動する前記鍵盤蓋と一体的に変位し、前記鍵盤蓋が前記開放位置にあるとき、前記操作パネルの下端から下方に向かって延設された構造を有し、前記配線ケーブルの露出部を覆い、前記鍵盤蓋が前記覆い位置に回動するとき前記配線ケーブルを所定方向に案内するガイド部材と、
前記鍵盤蓋が前記開放位置にあるとき、前記配線ケーブルの前記露出部の前記ガイド部材で覆われない部分を覆うカバー部材と、
から成ることを特徴とする電子鍵盤楽器。
【請求項２】
前記ガイド部材は、前記蓋体又は前記操作パネルに固定され、前記配線ケーブルに前方から接触するとともに前記ケーブルの前記露出部を前方から覆う第１部分と、該配線ケーブルの該露出部を側方から覆う第２部分とを有することを特徴とする請求項１に記載の電子鍵盤楽器。
【請求項３】
前記カバー部材は、前記鍵盤蓋が前記開放位置にあるとき、前記配線ケーブルの前記露出部に接近し、該配線ケーブルの該露出部を側方から覆う部分を有することを特徴とする請求項１に記載の電子鍵盤楽器。
【請求項４】
前記カバー部材は前記ガイド部材に対して相対的に変位し、前記鍵盤蓋が前記覆い位置に回動したとき前記蓋支持部材の後面に接触しないことを特徴とする請求項３に記載の電子鍵盤楽器。
【請求項５】
前記カバー部材は、該カバー部材と前記ガイド部材との間に挿通された第１軸で回動可能に支持されるとともに、該カバー部材と一端を前記蓋支持部に回動可能に支持されたレバー部材の他端との間に挿通された第２軸で回動可能に支持されていることを特徴とする請求項４に記載の電子鍵盤楽器。
【請求項６】
前記鍵盤蓋が前記開放位置にあるとき、前記ガイド部材の一部が前記カバー部材内に収納されていることを特徴とする請求項５に記載の電子鍵盤楽器。
【発明の詳細な説明】
【技術分野】
【０００１】
本発明は、鍵盤を開放し及び覆うために回動される鍵盤蓋が操作パネルを備えた電子鍵盤楽器に関する。
【背景技術】
【０００２】
電子ピアノなどの電子鍵盤楽器は、楽器本体に配置された鍵盤の押鍵に基づき鍵スイッチが作動し、所定の電気部品が電子的に所定の楽音を発生させる。電子鍵盤楽器には、楽音のトーンやボリュームを調整する多数の操作子や、所定の回路が形成されたプリント基板を含む操作パネルが配置されている。
【０００３】
操作パネルの位置は、デザイン上の統一性や演奏者による操作性などを考慮して決定される。たとえば、従来の電子楽器（特許文献１参照）は、操作パネルを鍵盤蓋の蓋体の内面に配置している。この場合、操作パネルと楽器本体内の電気部品とを接続する各種コード（配線ケーブル）の取り扱いが問題となる。すなわち、蓋体の一端を楽器本体に回動可能に支持すると、鍵盤蓋を開放し傾斜した状態で保持したとき、蓋体が下側に位置し、操作パネルが上側に位置する。そして、上側に位置する操作パネルの一端から導出された各種コードの一部が蓋体の内面上に露出することがある。これでは、鍵盤蓋を開放したとき、露出部が電子機器の外部から視認され、体裁が悪くなる。
【０００４】
そこで、特許文献１の電子楽器は、鍵盤蓋の開放時における各種コードの露出部の外部からの視認を防止するために、蓋体の一端を回動可能に支持する回動軸を中空形状としている。この中空形状の回動軸を蓋体の内面の一端（下端）に配置し、操作パネルの一端から導出された各種コードを回動軸の中空部内に挿入している。
【特許文献１】実開昭６０−１２２９８９号公報
【発明の開示】
【発明が解決しようとする課題】
【０００５】
上記特許文献１の電子機器は、各種コードを中空の回動軸内に収納したので、各種コードは鍵盤蓋の開放時にも外部から視認できず、体裁は良くなる。しかし、その反面、以下の問題が発生する。即ち、各種コードを引き込む開口及び各種コードを引き出す開口を回動軸にあけることが必要で、そのために回動軸の構造が複雑となる。また、各種コードを回動軸内の中空部に収納することが必要で、そのために各種コードの引き回し（配回し）が面倒である。
【０００６】
本発明は上記課題に鑑みてなされたもので、鍵盤蓋がその内面に操作パネルを備えていながら、鍵盤蓋の開放時でも配線ケーブルが外部から視認されず、回動軸の構造が簡単で、しかも配線ケーブルの引き回し（配回し）が容易な電子鍵盤楽器を提供することを目的とする。
【課題を解決するための手段】
【０００７】
上記目的を達成するために、本発明の電子鍵盤楽器は、請求項１に記載したように、上面に鍵盤が配置された楽器本体と、一端が回転軸により前記楽器本体の蓋支持部に回動可能に支持された蓋体と、該蓋体の内面に取り付けられた操作パネルとを含み、前記回転軸から見て演奏者から遠い後方側であって、前記鍵盤を開放し前記蓋支持部により保持される開放位置と、前記回転軸から見て演奏者に近い前方側であって、前記鍵盤を覆う覆い位置との間で回動可能な鍵盤蓋と、 前記操作パネルから導出され前記楽器本体内の制御部に延びた配線ケーブルと、回動する前記鍵盤蓋と一体的に変位し、前記鍵盤蓋が前記開放位置にあるとき、前記操作パネルの下端から下方に向かって延設された構造を有し、前記配線ケーブルの露出部を覆い、前記鍵盤蓋が前記覆い位置に回動するとき前記配線ケーブルを所定方向に案内するガイド部材と、前記鍵盤蓋が前記開放位置にあるとき、前記配線ケーブルの前記露出部の前記ガイド部材で覆われない部分を覆うカバー部材と、から成る。
【０００８】
本発明の電子鍵盤楽器によれば、操作パネルから導出された配線ケーブルの露出部は、鍵盤蓋が開放位置にあるとき、ガイド部材及びカバー部材により覆われる。ガイド部材及びカバー部材は互いに共同して、露出部の異なる部分を覆ったり、又は露出部を異なる方向から覆う。従って、鍵盤蓋が開放位置にあるときでも、露出部はどの部分も、またどの方向からも視認されることはなく、体裁が保たれる。
【０００９】
また、操作パネルから導出された配線ケーブルは、鍵盤蓋が開放位置から覆い位置に回動するとき、ガイド部材により所定方向に案内される。すなわち、鍵盤蓋の回動時、操作パネルから導出された配線ケーブルは回動軸の回りに変位し、ガイド部材は回動軸の回りに鍵盤蓋と一体的に変位し、配線ケーブルとガイド部材との相対位置は変化しない。従って、配線ケーブルはガイド部材で操作パネルに対して常時所定方向に案内でき、操作パネルから楽器本体内の制御部まで延びる配線ケーブルを回動軸の周辺で容易に引き回し（配回し）できる。さらに、回動軸は鍵盤蓋の蓋体を蓋支持部材に対して回動可能に取り付けるのみで済み、たとえばヒンジ（蝶番）を使用することができ、その構造が簡単になる。
【００１０】
請求項２の電子鍵盤楽器では、前記ガイド部材は、前記蓋体又は前記操作パネルに固定され、前記配線ケーブルに前方から接触するとともに前記ケーブルの前記露出部を前方から覆う第１部分と、該配線ケーブルの該露出部を側方から覆う第２部分とを有する。ここで、鍵盤蓋の蓋体と、蓋体の内面に取り付けられた操作パネルと、蓋体（例えばその一端）又は操作パネル（例えばその一端）に固定されたガイド部材とは一体である。従って、ガイド部材は鍵盤蓋の回動時は蓋体又は操作パネルと一体となって回動軸の回りに変位する。
【００１１】
その結果、鍵盤蓋がどのような回動位置にあるときも、即ち回動蓋の回動位置にかかわらず、配線ケーブルとガイド部材との相対位置は変化せず、ガイド部材の第１部分で配線ケーブルを常時所定方向に案内することができ、またガイド部材の第１部分及び第２部分で配線ケーブルの露出部を覆うことができる。
【００１２】
請求項３の電子鍵盤楽器では、カバー部材は、鍵盤蓋が開放位置にあるとき、配線ケーブルに接近して露出部を側方から覆う部分（たとえば一対の側壁部）を有する。これにより、たとえば上記ガイド部材が露出部を前方から覆う場合、カバー部材とガイド部材との共同により、露出部をあらゆる方向から覆うことができる。
【００１３】
請求項４の電子鍵盤楽器では、カバー部材は、鍵盤蓋と一体的に変位するガイド部材に対して相対的に変位し、鍵盤蓋が覆い位置に回動したとき、鍵盤蓋と一緒に蓋支持部材の後面に向かって変位するガイド部材から離れる。つまり、カバー部材は鍵盤蓋が開放位置にあるときのカバー部材の位置又はそれに近い位置にとどまり、蓋支持部材の後面に接触しない。これにより、カバー部材は、鍵盤蓋が開放位置にあるとき露出部を覆い、しかも鍵盤蓋が覆い位置にあるときは蓋支持部材の後面と接触せず鍵盤蓋の覆い位置への回動を妨げることがない。
【００１４】
請求項５の電子鍵盤楽器では、カバー部材とガイド部材との間に挿通された第１軸は鍵盤蓋の回動時は回動軸の回りに変位し、カバー部材とレバー部材との間に挿通された第２軸は鍵盤蓋の回動に伴い回動するレバー部材に対して回動する。即ち、蓋体を軸支するヒンジと第１軸とを結ぶ部分、カバー部材の第１軸と第２軸の間の部分及びレバー部材で、三つのリンクを含むリンク機構を構成している。このリンク機構によれば、部品点数が少なく比較的簡単な構成でありながら、鍵盤蓋が開放位置にあるときはガイド部材に接近し、鍵盤蓋が覆い位置にあるときは蓋支持部材の後面に接触しないカバー部材の動きが実現できる。
【００１５】
請求項６の電子鍵盤楽器では、鍵盤蓋が開放位置にあるとき、ガイド部材の一部がカバー部材内に収納されている。具体的には、鍵盤蓋と一体のガイド部材と、該ガイド部材などに回動可能に支持されたカバー部材とが入れ子関係にあり、カバー部材と一部とガイド部材の一部とが重なり、ガイド部材がカバー部材の内側に位置している。これにより、鍵盤蓋が開放位置にあるとき、ガイド部材及びカバー部材の配置スペースが小さくでき、しかもガイド部材及びカバー部材が共同して露出部を確実に覆うことができる。
【発明を実施するための最良の形態】
【００１６】
以下、本発明による電子鍵盤楽器の実施形態について図面を参照しつつ説明する。
（実施形態）
図１は実施形態の電子鍵盤楽器の斜視図である。図１から分かるように、全体として横方向（水平方向に）広がったグランドピアノタイプの電子鍵盤楽器は楽器本体（筐体）１０と、鍵盤蓋４０とから成る。楽器本体１０は左右一対の側板１２、フレーム１３、屋根１５、突上げ棒１６、左右一対の拍子木１８、三本の脚注（左右一対の脚注１９のみ図示し、後方の脚注は不図示）、鍵盤２１、口棒２４、棚板（不図示）及びペダルアセンブリ２６などを含む。鍵盤２１には多数の鍵２２（一部のみ図示）が配置され、鍵２２の下方又は後方に鍵スイッチ（不図示）が配置されている。
【００１７】
図２は図１の電子鍵盤楽器のＡ部の拡大図であり、左方の側板１２、左方の拍子木１８、鍵盤２１、口棒２４の左端部及び棚板の左端部などが示されている。図２にはまた、後述する覆い部材３４、ガイド部材５５及びカバー部材７０の一部が示されている。
【００１８】
図３に開放位置にある鍵盤蓋４０及びその関連部材を示す。なお、以下の説明では、電子鍵盤楽器のうち演奏者に近い側を「手前側」又は「前方側」と呼び、演奏者から遠い側を「向う側」又は「後方側」と呼ぶ。図３から分かるように、楽器本体１０は下端が鍵盤２１に近く、上端が鍵盤２１から遠くなるように傾斜した蓋支持部材３２を有する。この蓋支持部材３２の下端３３ａにヒンジ（蝶番）３６で鍵盤蓋４０の一端４３ａが回動可能に支持されている（詳細は後述する）。また、蓋支持部材３２の後面３３ｃの下端３３ａ寄りに取り付けられた覆い板３４は、手前側に延び下向きに傾斜した第１部分３５ａと、下方に延びた第２部分３５ｂとを有する。この覆い板３４は、鍵盤２１の向こう側に位置する部品を覆う（隠す）とともに、鍵盤蓋４０の覆い時に操作パネル４８の一端４９ａを収納する収納空間を、蓋支持部材３２の下端３３ａの前方かつ下方に確保している（図５参照）。
【００１９】
図３において、鍵盤蓋４０は蓋体４２と、蓋体４２の内面（鍵盤蓋４０の開放時は上面となる）に配置された操作パネル４８とを含む。木製の蓋体４２は平板部４３と屈曲部４５とを有し断面Ｌ字形状を呈する。平板部４３の一端４４ａ（鍵盤蓋４０の開放時は下端となる）の上方角縁と、上記蓋支持部材３２の一端３３ａ（鍵盤蓋４０の開放時は下端となる）の下方角縁とが上記ヒンジ３６でヒンジ結合され、蓋体４２は蓋支持部材３２に対して、ヒンジ３６の回りに回動可能となっている。
【００２０】
上記操作パネル４８は蓋体４２の内面に配置され、楽音のトーンやボリュームなどを調整する多数のスイッチ群や、電子回路が形成されたプリント基板など（何れも不図示）を含む。操作パネル４８の一端４９ａ（鍵盤蓋４０の開放時は下端となる）が蓋体４２の一端４４ａよりも少し突出している。操作パネル４８の幅方向（図２で左右方向、図３で紙面に垂直方向）に離れた二カ所から配線ケーブル５０が導出され、その一部５１が、導出位置に対応して配置された二つのガイド部材５５及び二つのカバー部材７０で覆われている（図２及び図３には一方のガイド部材５５及び一方のカバー部材７０を示す）。導出された配線ケーブル５０の先端は楽器本体１０内の制御部（不図示）まで延びており、操作パネル４８のスイッチ群を操作すると、それに対応した信号が配線ケーブル５０を介して制御部に送られ、楽音が調整される。
【００２１】
上記ガイド部材５５を図６（ａ）（ｂ）及び（ｃ）に示す。ガイド部材５５は、配線ケーブル５０を案内するとともに覆うもので、板金又は樹脂成形品から成り、案内部５７、支持部５９及び延長部６６等を含む。案内部５７は高さ方向（図６（ａ）で上下方向）に長い矩形状を持ち、この案内部５７の左右両側からそれぞれ直角に立ち上がった各支持部５９の上端寄りに貫通孔６１が形成されている。一対の支持部５９の先端同士が結合部で結合され、案内部５７、一対の支持部５９及び結合部により配線ケーブル５０を通過させるための中空部が区画されている。一対の支持部５９の上端をそれぞれ外向きに屈曲させて形成された取付部６３は貫通孔６４を備えている。延長部６６は案内部５７とほぼ同じ幅を持ち、案内部５７の一端からこれに対して所定角度を成して延びている。
【００２２】
図３に戻って、ガイド部材５５が、取付部６３の貫通孔６４に挿通されたねじ部材６８により操作パネル４８の一端４９ａに取り付けられている。鍵盤蓋４０が開放位置にあるとき、案内部５７は操作パネル４８の延在方向（図３で右斜め上方と左斜め下方とを結ぶ方向）と所定角度を成し、蓋体４２の下端４４ａ及び蓋支持部材３２の下端３３ａの前方空間内にほぼ下方に延び、覆い板３４から露出している。延長部６６は下方に進むにつれて後方（図３で右方）に延びている。
【００２３】
図３、及び蓋支持板３２の後面３３ｃ側から見た斜視図である図９に示すように、上記蓋支持部材３２の後面３３ｃに取り付けられ下方かつ後方に延びた支持板９７に、軸部材９６により、中間に段部を有するレバー部材９２の一端が回動可能に取り付けられている。
【００２４】
上記カバー部材７０を図７（ａ）（ｂ）及び（ｃ）に示す。カバー部材７０は配線ケーブル５０を覆うもので、板金又は樹脂成形品から成り、一対の側壁部７１及び７８と、両方の側壁部７１及び７８を結合する端壁部８４とを含む。一方（図７（ｂ）で手前側）の側壁部７１は五角形状を持ち、縁７２ａの高さ方向中間部に貫通孔７３が形成され、縁７２ｂと縁７２ｃとの交差部から延び出た取付部７５に貫通孔７６が形成されている。他方の側壁部７８は一方の側壁部７１に類似した五角形状を持つが、その長さ（図７（ｂ）で左右方向寸法）は一方の側壁部７１のそれよりも短い。他方の側壁部７８のその他の構成は一方の側壁部７１と同じであり、縁７９ａと縁７９ｂとの交差部から延び出た取付部８１に貫通孔８２が形成されている。
【００２５】
一方の側壁部７１の縁７２ｄと他方の側壁部７８の縁７９ｃとが端壁部８４で結合されているが、縁７２ａ側及び下縁側は結合されず開口している。図３、図６及び図７において、カバー部材７０の一対の側壁部７１及び７８間の間隔は、ガイド部材５５の一対の支持部５９間の間隔よりも大きく、カバー部材７０の中空部の一部にガイド部材５５の一部が収納されている。つまり、端壁部８４の内側に案内部５７が位置し、一対の側壁部７１及び７８の内側に一対の支持部５９が位置している。
【００２６】
カバー部材７０の一対の取付部７５及び８１の貫通孔７６及び８２とガイド部材５５の一対の支持部５９の貫通孔６１とに第１軸８６が挿通されている。また、一端が上記軸部材９６により回動可能に支持され板金又は樹脂成形品から成るレバー部材９２の他端の貫通孔（不図示）と、カバー部材７０の一方の側壁部７１の貫通孔７３とに第２軸９１が挿通されている。その結果、カバー部材７０は、操作パネル４８と一緒にヒンジ３６の回りに回動する上記ガイド部材５５に対して第１軸８６の回りに回動可能であるとともに、軸部材９６の回りに回動するレバー部材９２に対して第２軸９１の回りに回動可能となっている。
【００２７】
つまり、ヒンジ３６と軸部材９６との間に、三つのリンクを含むリンク機構が形成されている。第１リンクはヒンジ３６と第１軸８６との間の部分（蓋体４２の下端４４ａ及び操作パネル４８の下端４９ａ）であり、第２リンクはカバー部材７０の一方の側壁部７１上の第１軸８６と第２軸９１との間に位置する部分であり、第３リンクはレバー部材９２である。なお、覆い板３４の第１部分３５ａにはガイド部材５５及びカバー部材７０の突出及び没入を許す切欠きが形成されている。
【００２８】
次に、この実施形態の電子鍵盤楽器の作動を説明する。
図３及び図８に示す開放位置では、鍵盤蓋４０はヒンジ３６の回りに最も時計方向に回動されて鍵盤２１を開放し、蓋体４２の外面４４ｂが蓋支持部材３２の前面３３ｂに近接し、傾斜状態に保持されている。この鍵盤蓋４０の開放位置において、演奏者が所定の鍵２２を打鍵すると、その下方又は後方に位置する鍵スイッチがオンし、楽器本体１０内の制御部の作用により、打鍵された鍵２２に対応する楽音が電子的に発生する。鍵盤蓋４０が開放位置にあるとき、蓋体４２の内面に配置された操作パネル４８が鍵盤２１の上方に位置しているので、演奏者は操作パネル４８の所定のスイッチ群を容易に操作できる。操作により発生した所定の信号が配線ケーブル５０を介して制御部に送られ、発生する楽音のトーンやボリュームなどが調整される。
【００２９】
次に、配線ケーブル５０の案内（規制）について説明する。鍵盤蓋４０が図３の開放位置にあるとき、蓋体４２が下側に位置し、操作パネル４８が上側に位置し、上側にある操作パネル４８の一端４９ａから配線ケーブル５０の一部（鍵盤蓋４０が開放位置にるときは露出部となる）５１が下方かつ前方に導出され、該一部５１の第１部分５２ａ及び第２部分５２ｂが覆い板３４上に露出する。ここで、操作パネル４８に固定されたガイド部材５５は鍵盤蓋４０とともに変位し覆い板３４から上方に突出し、その案内部５７がほぼ下方に延び、延長部６８は若干後方に延びている。そして、案内部５７、一対の支持部５９及び結合部で区画された中空部を配線ケーブル５０の一部５１が通過している。ガイド部材５５の案内部５７が配線ケーブル５０の一部５１の第１部分５２ａに接触し、延長部６６が第２部分５２ｂに接触し、該一部５１の導出方向を規制している。その結果、配線ケーブル５０の露出部５１は蓋体４２の下端４４ａ及び蓋支持部材３２の下端３３ａの前方から覆い板３４の第１部分３５ａを通過し、制御部（不図示）に向かって延びている。
【００３０】
次に、配線ケーブル５０の露出部５１のカバー（覆い）について説明する。鍵盤蓋４０が開放位置にあるとき、露出部５１のうち操作パネル４８の下端面に近い第１部分５２ａは、覆い板３４から突出しているガイド部材５５の案内部５７で前方から覆われるとともに、一対の支持部５９で側方から覆われる。
【００３１】
また、露出部５１の第２部分５２ｂはカバー部材７０で覆われる。即ち、鍵盤蓋４０が開放位置（図３参照）にあるとき、操作パネル４８及びガイド部材５５とともに変位する第１軸８６はヒンジ３６に対して手前側かつ上方に位置し、またカバー部材７０の一方の側壁部７１上の第１軸８６と第２軸９１との間の部分の距離は一定である。従って、レバー部材９２（図８では、支持板９７に隠されて見えない）は直立状態からわずかに反時計方向に回動しており、第２軸９１は軸部材９６に対して少し手前側（図３で左側）かつ上方に位置している。
【００３２】
その結果、カバー部材７０は、一方の側壁部７１の縁７２ｂ及び７２ｃと他方の側壁部７８の縁７９ａ及び７９ｂとが覆い板３４内から突出し、一方の側壁部７１の縁７２ｄ及び他方の側壁部７８の縁７９ｃがそれぞれガイド部材５５の延長部６６に接近した位置にある。こうして、露出部５１の第２部分５２ｂは、一方の側壁部７１及び他方の側壁部７８によりそれぞれ側方から覆われる。
【００３３】
電子鍵盤楽器の不使用時などに、鍵盤部２１を覆うために鍵盤蓋４０をヒンジ３６の回りに反時計方向に回動すると、鍵盤蓋４０は図４に示す中間状態を経て、図５及び図９に示す覆い位置に至る。鍵盤蓋４０が図５に示す覆い位置にあるとき、蓋体４２の外面４４ｂが蓋支持部材３２の前面３３ｂと所定の鈍角を成し、蓋体４２の屈曲部４５の下面が口棒２４（図２参照）の上面に当接し、鍵盤蓋４０は水平状態に維持されている。中間状態では、鍵盤蓋４０は開放位置と覆い位置との中間の状態に維持されている。
【００３４】
以下、鍵盤蓋４０の開放位置から中間状態への回動について、図４を参照しつつ説明する。鍵盤蓋４０が中間状態に向かってヒンジ３６の回りに反時計方向に回動されると、操作パネル４８に固定されたガイド部材５５も一緒に変位する。従って、中間状態でも配線ケーブル５０とガイド部材５５との相対位置は変化しない。
【００３５】
カバー部材７０は、ヒンジ３６の回りに回動する第１軸８６、及び軸部材９６の回りに回動する第２軸９１と一緒に変位するとともに、第１軸８６及び第２軸９１の回りにそれぞれ回動する。つまり、カバー部材７０は上記変位と回動とが合成された運動を行なう。なお、鍵盤蓋４０の回動時も姿勢が変化しない蓋支持部材３２との関係で見ると、鍵盤蓋４０の回動につれてガイド部材５５がヒンジ３６の回りに向こう側（図３で右側）に変位するのに対して、カバー部材７０はあまり変位しない。こうしてガイド部材５５とカバー部材７０との相対位置が変化し、カバー部材７０はガイド部材５５に対して前方側に変位する。その結果、カバー部材７０の一方の側壁部７１の縁７２ｄ及び他方の側壁部７８の縁７９ｃがガイド部材５５の案内部５７及び延長部６６から遠ざかる。
【００３６】
次に、鍵盤蓋４０の中間状態における配線ケーブル５０の案内及び覆いについて説明する。鍵盤蓋４０が図４に示す中間状態にあるとき、第１軸８６はヒンジ３６に対して手前側かつ少し下方に位置し、第２軸９１は軸部材９６に対して少し向こう側かつ上方に位置している。また、配線ケーブル５０の一部５１の第２部分５２ｂは覆い板３４内に没入しているが、第１部分５２ａは覆い板３４上に露出している。露出した露出部５１の第１部分５２ａはガイド部材５５の案内部５７及び延長部５９で手前側斜め上方から向こう側（図４で右側）斜め下方に向かう方向に規制されている。また、この第１部分５２ａはガイド部材５５の案内部５７で前方から覆われるとともに、一対の支持部５９で側方から覆われている。
【００３７】
以下、鍵盤蓋４０が覆い位置にあるときの配線ケーブル５０の案内について、図５及び図９を参照しつつ説明する。鍵盤蓋４０が覆い位置に向かってヒンジ３６の回りにさらに反時計方向に回動されると、操作パネル４８に固定されたガイド部材５５も一緒に変位する。従って、覆い位置でも配線ケーブル５０とガイド部材５５との相対位置は変化しない。
【００３８】
カバー部材７０は、ヒンジ３６の回りに回動する第１軸８６及び軸部材９６の回りに回動する第２軸９１と一緒に変位するとともに、第１軸８６及び第２軸９１の回りにそれぞれ回動する。なお、蓋支持部材３２との関係で見ると、鍵盤蓋４０の回動につれてガイド部材５５がヒンジ３６の回りに上方かつ向こう側に変位するのに対して、カバー部材７０はあまり変位しない。その結果、ガイド部材５５とカバー部材７０との相対位置が変化して両者の間隔が広がる。
【００３９】
図５及び図９に示す鍵盤蓋４０の覆い位置では、第１軸８６はヒンジ３６に対して下方かつ少し向こう側に位置し、また第２軸９１は軸部材９６に対して上方かつ向こう側に位置している。また、配線ケーブル５０の一部５１の第１部分５２ａも第２部分５２ｂも覆い板３４内に没入している。一部５１の第１部分５２ａはガイド部材５５の案内部５７及び延長部５９で手前側斜め下方から向こう側斜め上方に向かう方向に規制されている。カバー部材７０の位置は、鍵盤蓋４０が開放位置にあるときの位置（図３参照）に比べてあまり変位しておらず、ガイド部材５５はカバー部材７０の縁７２ａ側から両方の側壁部７１及び７８の外側に出ている。その結果、両方の側壁部７１及び７８の縁７２ｂ及び７９ａは、蓋支持部材３２の後面３３ｃから下方に離れている。
【００４０】
この実施形態の電子鍵盤楽器によれば、以下の効果が得られる。
第１に、操作パネル４８から導出された配線ケーブル５０の一部（露出部）５１は、
鍵盤蓋４０の回動状態にかかわらず、ガイド部材５５により所定方向に案内される。つまり、鍵盤蓋４０が開放位置（図３参照）、中間状態（図４参照）及び覆い位置（図５参照）の何れにあるときも、操作パネル４８の厚さ方向における導出方向はガイド部材５５の案内部５７及び延長部６６により規制される。加えて、鍵盤蓋４０が開放位置、中間状態及び覆い位置の何れにあるときもガイド部材５５の一対の支持部５９が、操作パネル４８の幅方向において、それぞれ第１部分５２ａ及び第２部分５２ｂの導出方向を規制している。従って、配線ケーブル５０の一部５１をヒンジ３６の回りに容易に引き回す（配回す）ことができる。
【００４１】
第２に、鍵盤蓋４０が開放位置にあるとき、操作パネル４８から導出された配線ケーブル５０の露出部５１はガイド部材５５及びカバー部材７０により覆われ、どの方向からも視認されない。即ち、鍵盤蓋４０が開放状態（図３）に回動されたときガイド部材５５も一緒に変位し、案内部５７が露出部５１の第１部分５２ａを前方から覆い、一対の支持部５９が第１部分５２ａを側方から覆う。覆われた第１部分５２ａは演奏者などにより視認されることはない。
【００４２】
また、ガイド部材５５の変位の結果、第１軸８６はヒンジ３６の回りで最も時計方向に回動した位置に変位し、レバー部材９２は軸部材９６の回りに最も反時計方向に回動した位置に変位する。これにより、カバー部材７０の両方の側壁部７１及び７８の縁７８ｄ及び７９ｃがガイド部材５５及び配線ケーブル５０に接近し、露出部５１の第２部分５２ｂを側方から覆う。覆われた第２部分５２ｂは演奏者などにより視認されることはない。
【００４３】
なお、この実施形態では、鍵盤蓋４０が覆い位置（図５参照）にあるとき操作パネル４８の一端４９ａを収納するために、覆い板３４の第２部分３５ｂの高さを低くして、第１部分３５ａの位置を下げている。その結果、鍵盤蓋４０が開放位置（図３参照）にあるとき、蓋支持部材３２の下端３３ａの下方かつ前方に空間（隙間）が形成され、配線ケーブル５０の一部５１が側方から視認できる。この露出部５１の側方からの視認を防止するためにこの隙間をカバー部材５５で覆うと、鍵盤蓋４０が覆い位置にあるとき、カバー部材５５と覆い板３４の第１部分３５ａとが干渉するおそれがある。そこで、ガイド部材５５に対して相対変位可能なカバー部材７０を設けて、その両方の側壁部７１及び７８でこの空間を側方から覆っている。
【００４４】
第３に、鍵盤蓋４０が覆い位置にあるときでも、カバー部材７０の両方の側壁部７１及び７８の縁７２ｂ及び７９ａと蓋支持部材３２の後面３３ｃとが干渉する心配はない。これは、鍵盤蓋４０の覆い位置への回動につれて、ガイド部材５５及び配線ケーブル５０は蓋支持部材３２の後面３３ｃ側に接近するが、カバー部材７０は蓋体４２及び蓋支持部材３２との間に形成したリンク機構のおかげで、このガイド部材５５から離れる方向に相対変位するからである。
（変形例）
本発明の電子鍵盤楽器は上記実施形態に限定されず、以下のような変形が可能である。まず、上記実施形態の電子鍵盤楽器はグランドピアノタイプであったが、全体として縦方向に延びたアップライトピアノタイプの電子鍵盤楽器にも本発明は適用できる。また、上記実施形態の鍵盤蓋４０では、操作パネル４８の一端４９ａが蓋体４２の一端４４ａよりも少し突出していたが、一端４９ａと一端４４ａとの突出量がほぼ同じ（面一）であっても良い。
【００４５】
また、配線ケーブル５０は操作パネル４８の一端４９ａの二カ所から導出されていたが、一カ所又は三カ所以上から配線ケーブル５０が導出されていても良い。一カ所から導出した場合は一つのガイド部材及び一つのカバー部材を配置し、三カ所から導出した場合は三つのガイド部材及び三つのカバー部材を配置すれば良い。
【００４６】
さらに、上記実施形態のガイド部材５５は、案内部５７及び延長部６６を有し、それによって一部５１の案内がより確実になっていた。しかし、配線ケーブル５０の一部５１の案内及び覆いのためにはガイド部材５５は少なくとも案内部５７を有すれば良く、延長部６６を有することは不可欠ではない。この場合、ガイド部材５５の延長部６６に代わる部分をカバー部材７０に設けることができる。
【００４７】
また、上記実施形態のカバー部材７０は、鍵盤蓋４０が開放位置にあるとき配線ケーブル５０の露出部５１を覆う第１位置に変位し、しかも鍵盤蓋４０が覆い位置にあるとき蓋支持部材３２の後面３３ｃと接触しない第２位置に変位すれば良く、鍵盤蓋４０の中間状態におけるカバー部材７０の姿勢は問題にならない。さらに、カバー部材７０を回動可能に支持する第１軸８６はガイド部材５５とカバー部材７０との間に挿通されていたが、ガイド部材５５と蓋体３２とは一緒に回動及び変位するので、蓋体３２とカバー部材７０との間に第１軸８６を挿通させることもできる。
【図面の簡単な説明】
【００４８】
【図１】本発明の実施形態による電子鍵盤楽器の全体斜視図である。
【図２】図１のＡ部拡大図である。
【図３】図１の電子鍵盤楽器において、開放位置にある鍵盤蓋及びその関連部品を示す断面図である。
【図４】図１の電子鍵盤楽器において、中間状態にある鍵盤蓋及びその関連部品を示す断面図である。
【図５】図１の電子鍵盤楽器において、覆い位置にある鍵盤蓋及びその関連部品を示す断面図である。
【図６】図１の電子鍵盤楽器のガイド部材を示し、（ａ）はガイド部材の正面図、（ｂ）はガイド部材の側面図、（ｃ）はガイド部材の平面図である。
【図７】図１の電子鍵盤楽器のカバー部材を示し、（ａ）はカバー部材の正面図、（ｂ）はカバー部材の側面図、（ｃ）はカバ−部材の平面図である。
【図８】図１の電子鍵盤楽器において、鍵盤蓋が開放状態にあるときのカバー部材及びレバー部材などを示す斜視図である。
【図９】図１の電子鍵盤楽器において、鍵盤蓋が覆い位置にあるときのカバー部材及びレバー部材などを示す斜視図である。
【符号の説明】
【００４９】
１０：楽器本体    １２：側板    １８：拍子木    ２１：鍵盤部    ２２：鍵盤    ２４：口棒    ２６：ペダルアセンブリ    ３２：蓋支持部材    ３４：覆い板
３６：回動軸    ４０：鍵盤蓋    ４２：蓋体    ４８：操作パネル
５０：配線ケーブル    ５１：一部（露出部）    ５５：ガイド部材
５７：案内部    ５９：支持部    ６３：取付部    ６６：延長部    ７０：カバー部材  ７１，７８：側壁部    ８６，９１：軸部材    ８４：端壁部    ９２：レバー部材  ９６：軸部材
【図１】
0004589873.tif 000002
【図２】
0004589873.tif 000003
【図３】
0004589873.tif 000004
【図４】
0004589873.tif 000005
【図５】
0004589873.tif 000006
【図６】
0004589873.tif 000007
【図７】
0004589873.tif 000008
【図８】
0004589873.tif 000009
【図９】
0004589873.tif 000010